(57)【特許請求の範囲】
【請求項１】
デバイスツーデバイス通信（Ｄ２Ｄ通信）の方法であって、
通信信号リソース及び前記通信信号リソースのタイミング情報を、第１のセルに位置する第１のデバイスによって前記第１のセルが属する基地局から取得する段階であって、前記通信信号リソース及び前記通信信号リソースの前記タイミング情報が前記第１のセルとは異なる第２のセルに位置する第２のデバイスと前記第１のデバイスとの間のＤ２Ｄ通信に用いられる段階と、
前記通信信号リソースの前記タイミング情報に従って、前記通信信号リソースにおいて、前記第２のデバイスによって送信された通信信号を前記第１のデバイスによって受信する段階と、
を備え、
前記通信信号リソースのタイミング情報を第１のデバイスによって取得する段階は、
前記第１のデバイスと前記第２のデバイスとの間の時刻同期及び周波数同期を実現するべく、前記通信信号リソースの前記タイミング情報を取得するための、基準タイミング信号のタイミングに対する前記通信信号リソースのタイミングの時差を、前記第１のデバイスによって前記基地局から取得する段階
を含む方法。
【請求項２】
前記通信信号リソースのタイミング情報を第１のデバイスによって取得する段階は、
前記通信信号リソースのタイミング信号を前記第１のデバイスによって取得する段階と、
前記通信信号リソースの前記タイミング信号に従って、前記通信信号リソースの前記タイミング情報を前記第１のデバイスによって決定する段階と、
を含む、請求項１に記載の方法。
【請求項３】
前記通信信号リソースのタイミング信号を第１のデバイスによって取得する段階は、
前記通信信号リソースの前記タイミング信号のインジケーション情報を、前記第１のデバイスによって取得する段階と、
前記通信信号リソースの前記タイミング信号の前記インジケーション情報に従って、前記通信信号リソースの前記タイミング信号を前記第１のデバイスによって取得する段階と、
を含む、請求項２に記載の方法。
【請求項４】
前記通信信号リソースのタイミング情報を第１のデバイスによって取得する段階は、
基準タイミング信号のインジケーション情報及び前記基準タイミング信号のタイミングに対する前記通信信号リソースのタイミングの前記時差を、前記第１のデバイスによって取得する段階と、
前記基準タイミング信号の前記インジケーション情報に従って、前記基準タイミング信号を前記第１のデバイスによって取得する段階と、
前記基準タイミング信号に従って、前記基準タイミング信号のタイミング情報を前記第１のデバイスによって決定する段階と、
前記基準タイミング信号の前記タイミング情報及び前記基準タイミング信号の前記タイミングに対する前記通信信号リソースの前記タイミングの前記時差に従って、前記通信信号リソースの前記タイミング情報を前記第１のデバイスによって取得する段階と、
を含む、請求項１に記載の方法。
【請求項５】
前記基準タイミング信号は、前記第１のデバイスの通信信号リソースのタイミング信号である、請求項４に記載の方法。
【請求項６】
前記タイミング信号の前記インジケーション情報は、主同期信号（ＰＳＳ）のインジケーション情報、副同期信号（ＳＳＳ）のインジケーション情報、共通基準信号（ＣＲＳ）のインジケーション情報、復調基準信号のインジケーション情報、セル特定情報、主Ｄ２Ｄ同期信号（ＰＤ２ＤＳＳ）のインジケーション情報、副Ｄ２Ｄ同期信号（ＳＤ２ＤＳＳ）のインジケーション情報、Ｄ２Ｄ復調基準信号（Ｄ２Ｄ−ＤＭＲＳ）のインジケーション情報、及びＤ２Ｄクラスタのインジケーション情報の少なくとも１つである、請求項３から５のいずれか１項に記載の方法。
【請求項７】
前記通信信号リソースは、第１の通信信号リソース及び第２の通信信号リソースを含み、それに応じて、前記通信信号リソースの前記タイミング情報は、前記第１の通信信号リソースのタイミング情報及び前記第２の通信信号リソースのタイミング情報を含み、前記通信信号リソースの前記タイミング情報に従って、前記通信信号リソースにおいて、第２のデバイスによって送信された通信信号を前記第１のデバイスによって受信する段階は、
前記第２のデバイスによって送信された前記通信信号を前記第１のデバイスによって受信すると共に、前記第１の通信信号リソースの前記タイミング情報に従って、前記第１の通信信号リソースにおいて、前記第１のデバイスの通信信号を送信する段階と、前記第２の通信信号リソースの前記タイミング情報に従って、前記第２の通信信号リソースにおいて、前記第２のデバイスによって送信された前記通信信号を受信する段階と、
を含む、請求項１から６のいずれか１項に記載の方法。
【請求項８】
前記Ｄ２Ｄ通信は、Ｄ２Ｄ発見及びＤ２Ｄ直接通信の少なくとも１つを含む、請求項１から７のいずれか１項に記載の方法。
【請求項９】
デバイスツーデバイス通信（Ｄ２Ｄ通信）の方法であって、
通信信号リソース及び前記通信信号リソースのタイミング情報を基地局によって取得する段階であって、前記通信信号リソース及び前記通信信号リソースの前記タイミング情報が第１のセルに位置する第１のデバイスと前記第１のセルとは異なる第２のセルに位置する第２のデバイスとの間のＤ２Ｄ通信に用いられる段階と、
前記通信信号リソース及び前記通信信号リソースの前記タイミング情報を、前記基地局によって前記第１のデバイスに送信し、これにより、前記第１のデバイスが、前記通信信号リソースの前記タイミング情報に従って、前記通信信号リソースにおいて、前記第２のデバイスによって送信された通信信号を受信する段階と、
を備え、
前記通信信号リソース及び前記通信信号リソースの前記タイミング情報を、前記基地局によって前記第１のデバイスに送信し、これにより、前記第１のデバイスが、前記通信信号リソースの前記タイミング情報に従って、前記通信信号リソースにおいて、前記第２のデバイスによって送信された通信信号を受信する段階は、
前記通信信号リソース、及び、基準タイミング信号のタイミングに対する前記通信信号リソースのタイミングの時差を前記基地局によって前記第１のデバイスに送信し、これにより、前記第１のデバイスと前記第２のデバイスとの間の時刻同期及び周波数同期を実現するべく、前記第１のデバイスが、前記基準タイミング信号の前記タイミングに対する前記通信信号リソースの前記タイミングの前記時差に従って、前記通信信号リソースの前記タイミング情報を取得し、前記通信信号リソースの前記タイミング情報を用いることによって、前記通信信号リソースにおいて、前記第２のデバイスによって送信された前記通信信号を受信する段階
を含む、方法。
【請求項１０】
前記通信信号リソース及び前記通信信号リソースの前記タイミング情報を、前記基地局によって前記第１のデバイスに送信し、これにより、前記第１のデバイスが、前記通信信号リソースの前記タイミング情報に従って、前記通信信号リソースにおいて、前記第２のデバイスによって送信された通信信号を受信する段階は、
前記通信信号リソース及び前記通信信号リソースのタイミング信号を、前記基地局によって前記第１のデバイスに送信し、これにより、前記第１のデバイスが、前記通信信号リソースの前記タイミング信号に従って、前記通信信号リソースの前記タイミング情報を決定する段階と、前記通信信号リソースの前記タイミング情報に従って、前記通信信号リソースにおいて、前記第２のデバイスによって送信された前記通信信号を受信する段階を含む、請求項９に記載の方法。
【請求項１１】
通信信号リソースのタイミング信号を前記基地局によって前記第１のデバイスに送信し、これにより、前記第１のデバイスが、前記通信信号リソースの前記タイミング信号に従って前記通信信号リソースの前記タイミング情報を決定する段階は、
前記通信信号リソースの前記タイミング信号のインジケーション情報を、前記基地局によって前記第１のデバイスに送信し、これにより、前記第１のデバイスが、前記通信信号リソースの前記タイミング信号の前記インジケーション情報に従って、前記通信信号リソースの前記タイミング信号を取得し、前記通信信号リソースの前記タイミング信号に従って、前記通信信号リソースの前記タイミング情報を決定する段階を含む、請求項１０に記載の方法。
【請求項１２】
前記通信信号リソース及び前記通信信号リソースの前記タイミング情報を、前記基地局によって前記第１のデバイスに送信し、これにより、前記第１のデバイスが、前記通信信号リソースの前記タイミング情報に従って、前記通信信号リソースにおいて、前記第２のデバイスによって送信された通信信号を受信する段階は、
前記基準タイミング信号のインジケーション情報、前記通信信号リソース、及び前記基準タイミング信号のタイミングに対する前記通信信号リソースのタイミングの前記時差を前記基地局によって前記第１のデバイスに送信し、これにより、前記第１のデバイスが、前記基準タイミング信号の前記インジケーション情報及び前記基準タイミング信号の前記タイミングに対する前記通信信号リソースの前記タイミングの前記時差に従って、前記通信信号リソースの前記タイミング情報を取得し、前記通信信号リソースの前記タイミング情報を用いることによって、前記通信信号リソースにおいて、前記第２のデバイスによって送信された前記通信信号を受信する段階を含む、請求項９に記載の方法。
【請求項１３】
前記基準タイミング信号は、前記第１のデバイスの通信信号リソースのタイミング信号である、請求項１２に記載の方法。
【請求項１４】
プロセッサ及びメモリを備える第１のデバイスであって、前記メモリは、実行可能命令を格納し、前記第１のデバイスが動作すると、前記プロセッサは、前記メモリと通信を行い、前記プロセッサは、前記実行可能命令を実行することにより、請求項１から８のいずれか１項に記載の方法を実行させる、第１のデバイス。
【請求項１５】
プロセッサ及びメモリを備える基地局であって、前記メモリは、実行可能命令を格納し、前記基地局が動作すると、前記プロセッサは、前記メモリと通信を行い、前記プロセッサは、前記実行可能命令を実行することにより、請求項９から１３のいずれか１項に記載の方法を実行させる基地局。
【発明の詳細な説明】
【技術分野】
【０００１】
本発明の複数の実施形態は、通信技術に関し、詳細には、デバイスツーデバイス（Ｄｅｖｉｃｅ  ｔｏ  Ｄｅｖｉｃｅ、略してＤ２Ｄ）通信の方法及び装置に関する。
【背景技術】
【０００２】
モバイル通信技術の急速な発達に伴い、モバイル通信ネットワークにおいてデバイスツーデバイス近接サービス（Ｄｅｖｉｃｅ  ｔｏ  Ｄｅｖｉｃｅ  Ｐｒｏｘｉｍｉｔｙ  Ｓｅｒｖｉｃｅ、略してＤ２ＤＰｒｏＳｅ）を提供することが、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して３ＧＰＰ）のロングタームエボリューション（Ｌｏｎｇ  Ｔｅｒｍ  Ｅｖｏｌｕｔｉｏｎ、略してＬＴＥ）システムのリリース１２に関する研究トピックとなっている。ＬＴＥネットワークの物理層に基づいて提供されるＤ２ＤＰｒｏＳｅは、ＬＴＥネットワークのサービス範囲を大いに拡大する。Ｄ２ＤＰｒｏＳｅは、Ｄ２Ｄ発見及びＤ２Ｄ直接通信を含む。Ｄ２Ｄ発見は、発見信号の送信及び発見信号の受信を含む発見信号を用いることによって、ユーザデバイスがその近くにある他のデバイスを認識する処理を指す。Ｄ２Ｄ直接通信は、２つのユーザデバイス間の直接通信を指し、発呼、チャネル測定、チャネルフィードバック、リソーススケジューリング、データ送信、及び着信のような処理を含む。
【０００３】
複数のユーザデバイス間でＤ２Ｄ発見及びＤ２Ｄ直接通信を実装するためには、時刻同期及び周波数同期が複数のユーザデバイス間で保証される必要がある。既存の移動通信システムにおいて、サービングセルと通信を行う場合、ユーザデバイスは、サービングセルの同期信号を認識し、これを追跡することのみを必要とする。しかしながら、Ｄ２ＤＰｒｏＳｅにおいて、異なるセルに位置する２つ又はそれより多くのユーザデバイスがこれらそれぞれのサービングセルに対応する複数の同期信号のみを追跡することは、各ユーザデバイス及びその対応するサービングセル間の同期のみを保証可能であるが、複数のユーザデバイス間の時刻同期及び周波数同期を保証することはできない。結果として、複数のユーザデバイス間のＤ２ＤＰｒｏＳｅは、保証されることができない。
【発明の概要】
【０００４】
本発明の複数の実施形態は、異なるセルに位置する複数のユーザがデバイスツーデバイス近接サービスを利用可能なデバイスツーデバイスＤ２Ｄ通信の方法及び装置を提供する。
【０００５】
第１の態様によれば、本発明の実施形態は、デバイスツーデバイスＤ２Ｄ通信の方法を提供し、方法は、通信信号リソース及び通信信号リソースのタイミング情報を第１のデバイスによって取得する段階であって、通信信号リソースがＤ２Ｄ通信に用いられる段階と、通信信号リソースのタイミング情報に従って、通信信号リソースにおいて、第２のデバイスによって送信された通信信号を第１のデバイスによって受信する段階と、を含む。
【０００６】
第１の態様によれば、第１の態様の第１の適用可能な実装態様において、通信信号リソースのタイミング情報を第１のデバイスによって取得する段階は、通信信号リソースのタイミング信号を第１のデバイスによって取得する段階と、通信信号リソースのタイミング信号に従って、通信信号リソースのタイミング情報を第１のデバイスによって決定する段階と、を含む。
【０００７】
第１の態様の第１の適用可能な実装態様によれば、第１の態様の第２の適用可能な実装態様において、通信信号リソースのタイミング信号を第１のデバイスによって取得する段階は、通信信号リソースのタイミング信号のインジケーション情報を第１のデバイスによって取得する段階と、通信信号リソースのタイミング信号のインジケーション情報に従って、通信信号リソースのタイミング信号を第１のデバイスによって取得する段階と、を含む。
【０００８】
第１の態様によれば、第１の態様の第３の適用可能な実装態様において、通信信号リソースのタイミング情報を第１のデバイスによって取得する段階は、基準タイミング信号のインジケーション情報及び基準タイミング信号のタイミングに対する通信信号リソースのタイミングの時差を第１のデバイスによって取得する段階と、基準タイミング信号のインジケーション情報に従って、基準タイミング信号を第１のデバイスによって取得する段階と、基準タイミング信号に従って、基準タイミング信号のタイミング情報を第１のデバイスによって決定する段階と、基準タイミング信号のタイミング情報に従って、通信信号リソースのタイミング情報を第１のデバイスによって取得する段階と、を含み、基準タイミング信号のタイミングは、通信信号リソースのタイミングの時差に等しい。
【０００９】
第１の態様の第３の適用可能な実装態様によれば、第１の態様の第４の適用可能な実装態様において、基準タイミング信号は、第１のデバイスの通信信号リソースのタイミング信号である。
【００１０】
第１の態様の第２から第４の適用可能な実装態様のいずれか１つによれば、第１の態様の第５の適用可能な実装態様において、タイミング信号のインジケーション情報は、主同期信号ＰＳＳのインジケーション情報、及び／又は副同期信号ＳＳＳのインジケーション情報、及び／又は共通基準信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２Ｄクラスタのインジケーション情報である。
【００１１】
第１の態様及び第１の態様の第１から第５の適用可能な実装態様のいずれか１つによれば、第１の態様の第６の適用可能な実装態様において、通信信号リソースは、第１の通信信号リソース及び第２の通信信号リソースを含み、それに応じて、通信信号リソースのタイミング情報は、第１の通信信号リソースのタイミング情報及び第２の通信信号リソースのタイミング情報を含み、通信信号リソースのタイミング情報に従って、通信信号リソースにおいて、第２のデバイスによって送信された通信信号を第１のデバイスによって受信する段階は、第２のデバイスによって送信された通信信号を第１のデバイスによって受信すると共に、第１の通信信号リソースのタイミング情報に従って、第１の通信信号リソースにおいて、第１のデバイスの通信信号を送信する段階と、第２の通信信号リソースのタイミング情報に従って、第２の通信信号リソースにおいて、第２のデバイスによって送信された通信信号を受信する段階と、を含む。
【００１２】
第１の態様及び第１の態様の第１から第６の適用可能な実装態様のいずれか１つによれば、第１の態様の第７の適用可能な実装態様において、Ｄ２Ｄ通信は、Ｄ２Ｄ発見及び／又はＤ２Ｄ直接通信を含む。
【００１３】
第２の態様によれば、本発明の実施形態は、デバイスツーデバイスＤ２Ｄ通信の方法を提供し、方法は、通信信号リソース及び通信信号リソースのタイミング情報を基地局によって取得する段階であって、通信信号リソースがＤ２Ｄ通信に用いられる段階と、通信信号リソース及び通信信号リソースのタイミング情報を、基地局によって第１のデバイスに送信し、これにより、第１のデバイスがが、通信信号リソースのタイミング情報に従って、通信信号リソースにおいて、第２のデバイスによって送信された通信信号を受信する段階と、を含む。
【００１４】
第２の態様によれば、第２の態様の第１の適用可能な実装態様において、通信信号リソース及び通信信号リソースのタイミング情報を、基地局によって第１のデバイスに送信し、これにより、通信信号リソースのタイミング情報に従って、通信信号リソースにおいて、第２のデバイスによって送信された通信信号を第１のデバイスが受信する段階は、通信信号リソース及び通信信号リソースのタイミング信号を、基地局によって第１のデバイスに送信し、これにより、第１のデバイスが、通信信号リソースのタイミング信号に従って、通信信号リソースのタイミング情報を決定し、通信信号リソースのタイミング情報に従って、通信信号リソースにおいて、第２のデバイスから送信された通信信号を受信する段階を含む。
【００１５】
第２の態様の第１の適用可能な実装態様によれば、第２の態様の第２の適用可能な実装態様において、通信信号リソースのタイミング信号を、基地局によって第１のデバイスに送信し、これにより、第１のデバイスが、通信信号リソースのタイミング信号に従って、通信信号リソースのタイミング情報を決定する段階は、通信信号リソースのタイミング信号のインジケーション情報を、基地局によって第１のデバイスに送信し、これにより、第１のデバイスが、通信信号リソースのタイミング信号のインジケーション情報に従って、通信信号リソースのタイミング信号を取得し、通信信号リソースのタイミング信号に従って、通信信号リソースのタイミング情報を決定する段階を含む。
【００１６】
第２の態様によれば、第２の態様の第３の適用可能な実装態様において、通信信号リソース及び通信信号リソースのタイミング情報を、基地局によって第１のデバイスに送信し、これにより、第１のデバイスが、通信信号リソースのタイミング情報に従って、通信信号リソースにおいて、第２のデバイスによって送信された通信信号を受信する段階は、基準タイミング信号のインジケーション情報、通信信号リソース、及び基準タイミング信号のタイミングに対する通信信号リソースのタイミングの時差を、基地局によって第１のデバイスに送信し、これにより、第１のデバイスが、基準タイミング信号及び基準タイミング信号のタイミングに対する通信信号リソースのタイミングの時差のインジケーション情報に従って、通信信号リソースのタイミング情報を取得し、通信信号リソースにおいて、第２のデバイスによって送信された通信信号を、通信信号リソースのタイミング情報を用いることによって受信する段階を含む。
【００１７】
第２の態様の第３の適用可能な実装態様によれば、第２の態様の第４の適用可能な実装態様において、基準タイミング信号は、第１のデバイスの通信信号リソースのタイミング信号である。
【００１８】
第２の態様の第２から第４の適用可能な実装態様のいずれか１つによれば、第２の態様の第５の適用可能な実装態様において、タイミング信号のインジケーション情報は、主同期信号ＰＳＳのインジケーション情報、及び／又は副同期信号ＳＳＳのインジケーション情報、及び／又は共通基準信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２Ｄクラスタのインジケーション情報である。
【００１９】
第２の態様及び第２の態様の第１から第５の適用可能な実装態様のいずれか１つによれば、第２の態様の第６の適用可能な実装態様において、通信信号リソースは、第１の通信信号リソース及び第２の通信信号リソースを含み、それに応じて、通信信号リソースのタイミング情報は、第１の通信信号リソースのタイミング情報及び第２の通信信号リソースのタイミング情報を含み、通信信号リソース及び通信信号リソースのタイミング情報を、基地局によって第１のデバイスに送信し、これにより、第１のデバイスが、通信信号リソースのタイミング情報に従って、通信信号リソースにおいて、第２のデバイスによって送信された通信信号を受信する段階は、第１の通信信号リソース、第２の通信信号リソース、第１の通信信号リソースのタイミング情報、及び第２の通信信号リソースのタイミング情報を基地局によって第１のデバイスに送信し、これにより、第１のデバイスが、第２のデバイスによって送信された通信信号を受信すると共に、第１の通信信号リソースのタイミング情報に従って、第１の通信信号リソースにおいて、第１のデバイスの通信信号を送信し、かつ、第１のデバイスが、第２の通信信号リソースのタイミング情報に従って、第２の通信信号リソースにおいて、第２のデバイスによって送信された通信信号を受信する段階を含む。
【００２０】
第２の態様及び第２の態様の第１から第６の適用可能な実装態様のいずれか１つによれば、第２の態様の第７の適用可能な実装態様において、Ｄ２Ｄ通信は、Ｄ２Ｄ発見及び／又はＤ２Ｄ直接通信を含む。
【００２１】
第３の態様によれば、本発明の実施形態は、第１のデバイスを提供し、第１のデバイスは、通信信号リソース及び通信信号リソースのタイミング情報を取得するように構成される取得モジュールであって、通信信号リソースがＤ２Ｄ通信に用いられる取得モジュールと、取得モジュールによって取得された通信信号リソースのタイミング情報に従って、通信信号リソースにおいて、第２のデバイスによって送信された通信信号を受信するように構成される送受信モジュールと、を含む。
【００２２】
第３の態様によれば、第３の態様の第１の適用可能な実装態様において、取得モジュールは、具体的には、通信信号リソースのタイミング信号を取得し、通信信号リソースのタイミング信号に従って、通信信号リソースのタイミング情報を決定するように構成される。
【００２３】
第３の態様の第１の適用可能な実装態様によれば、第３の態様の第２の適用可能な実装態様において、取得モジュールは、具体的には、通信信号リソースのタイミング信号のインジケーション情報を取得し、通信信号リソースのタイミング信号のインジケーション情報に従って、通信信号リソースのタイミング信号を取得するように構成される。
【００２４】
第３の態様によれば、第３の態様の第３の適用可能な実装態様において、取得モジュールは、具体的には、基準タイミング信号のインジケーション情報及び基準タイミング信号のタイミングに対する通信信号リソースのタイミングの時差を取得し、基準タイミング信号のインジケーション情報に従って、基準タイミング信号を取得し、基準タイミング信号に従って、基準タイミング信号のタイミング情報を決定し、基準タイミング信号のタイミング情報に従って、通信信号リソースのタイミング情報を取得するように構成され、基準タイミング信号のタイミングは、通信信号リソースのタイミングの時差に等しい。
【００２５】
第３の態様の第３の適用可能な実装態様によれば、第３の態様の第４の適用可能な実装態様において、基準タイミング信号は、第１のデバイスの通信信号リソースのタイミング信号である。
【００２６】
第３の態様の第２から第４の適用可能な実装態様のいずれか１つによれば、第３の態様の第５の適用可能な実装態様において、タイミング信号のインジケーション情報は、主同期信号ＰＳＳのインジケーション情報、及び／又は副同期信号ＳＳＳのインジケーション情報、及び／又は共通基準信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２Ｄクラスタのインジケーション情報である。
【００２７】
第３の態様及び第３の態様の第１から第５の適用可能な実装態様のいずれか１つによれば、第３の態様の第６の適用可能な実装態様において、通信信号リソースは、第１の通信信号リソース及び第２の通信信号リソースを含み、それに応じて、通信信号リソースのタイミング情報は、第１の通信信号リソースのタイミング情報及び第２の通信信号リソースのタイミング情報を含み、送受信モジュールは、具体的には、第２のデバイスによって送信された通信信号を受信し、第１の通信信号リソースのタイミング情報に従って、第１の通信信号リソースにおいて、第１のデバイスの通信信号を送信し、第２の通信信号リソースのタイミング情報に従って、第２の通信信号リソースにおいて、第２のデバイスによって送信された通信信号を受信するように構成される。
【００２８】
第３の態様及び第３の態様の第１から第６の適用可能な実装態様のいずれか１つによれば、第３の態様の第７の適用可能な実装態様において、Ｄ２Ｄ通信は、Ｄ２Ｄ発見及び／又はＤ２Ｄ直接通信を含む。
【００２９】
第４の態様によれば、本発明の実施形態は、基地局を提供し、基地局は、通信信号リソース及び通信信号リソースのタイミング情報を取得するように構成される取得モジュールであって、通信信号リソースがＤ２Ｄ通信に用いられる取得モジュールと、取得モジュールによって取得される通信信号リソース及び通信信号リソースのタイミング情報を第１のデバイスに送信し、これにより、第１のデバイスが、通信信号リソースのタイミング情報に従って、通信信号リソースにおいて、第２のデバイスによって送信された通信信号を受信するように構成される送信モジュールと、を含む。
【００３０】
第４の態様によれば、第４の態様の第１の適用可能な実装態様において、送信モジュールは、具体的には、通信信号リソース及び通信信号リソースのタイミング信号を、第１のデバイスに送信し、これにより、第１のデバイスが、通信信号リソースのタイミング信号に従って、通信信号リソースのタイミング情報を決定し、通信信号リソースのタイミング情報に従って、通信信号リソースにおいて、第２のデバイスによって送信された通信信号を受信するように構成される。
【００３１】
第４の態様の第１の適用可能な実装態様によれば、第４の態様の第２の適用可能な実装態様において、送信モジュールは、具体的には、通信信号リソースのタイミング信号のインジケーション情報を、第１のデバイスに送信し、これにより、第１のデバイスが、通信信号リソースのタイミング信号のインジケーション情報に従って通信信号リソースのタイミング信号を取得し、通信信号リソースのタイミング信号に従って、通信信号リソースのタイミング情報を決定するように構成される。
【００３２】
第４の態様の第１の適用可能な実装態様によれば、第４の態様の第３の適用可能な実装態様において、送信モジュールは、具体的には、基準タイミング信号のインジケーション情報、通信信号リソース、及び基準タイミング信号のタイミングに対する通信信号リソースのタイミングの時差を第１のデバイスに送信し、これにより、第１のデバイスが、基準タイミング信号のインジケーション情報及び基準タイミング信号のタイミングに対する通信信号リソースのタイミングの時差に従って通信信号リソースのタイミング情報を取得し、通信信号リソースのタイミング情報を用いることによって、通信信号リソースにおいて、第２のデバイスによって送信された通信信号を受信するように構成される。
【００３３】
第４の態様の第３の適用可能な実装態様によれば、第４の態様の第４の適用可能な実装態様において、基準タイミング信号は、第１のデバイスの通信信号リソースのタイミング信号である。
【００３４】
第４の態様の第２から第４の適用可能な実装態様のいずれか１つによれば、第４の態様の第５の適用可能な実装態様において、タイミング信号のインジケーション情報は、主同期信号ＰＳＳのインジケーション情報、及び／又は副同期信号ＳＳＳのインジケーション情報、及び／又は共通基準信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２Ｄクラスタのインジケーション情報である。
【００３５】
第４の態様及び第４の態様の第１から第５の適用可能な実装態様のいずれか１つによれば、第４の態様の第６の適用可能な実装態様において、通信信号リソースは、第１の通信信号リソース及び第２の通信信号リソースを含み、それに応じて、通信信号リソースのタイミング情報は、第１の通信信号リソースのタイミング情報及び第２の通信信号リソースのタイミング情報を含み、送信モジュールは、具体的には、第１の通信信号リソース、第２の通信信号リソース、第１の通信信号リソースのタイミング情報、及び第２の通信信号リソースのタイミング情報を第１のデバイスに送信し、これにより、第１のデバイスが、第２のデバイスによって送信された通信信号を受信すると共に、第１の通信信号リソースのタイミング情報に従って、第１の通信信号リソースにおいて、第１のデバイスの通信信号を送信し、かつ、第１のデバイスが、第２の通信信号リソースのタイミング情報に従って、第２の通信信号リソースにおいて、第２のデバイスによって送信された通信信号を受信するように構成される。
【００３６】
第４の態様及び第４の態様の第１から第６の適用可能な実装態様のいずれか１つによれば、第４の態様の第７の適用可能な実装態様において、Ｄ２Ｄ通信は、Ｄ２Ｄ発見及び／又はＤ２Ｄ直接通信を含む。
【００３７】
第５の態様によれば、本発明の実施形態は、第１のデバイスを提供し、第１のデバイスは、プロセッサ及びメモリを含み、メモリは、実行可能命令を格納し、第１のデバイスが動作すると、プロセッサは、メモリと通信を行い、プロセッサは、実行可能命令を実行することにより、第１のデバイスに、本発明の任意の実施形態において提供されるデバイスツーデバイスＤ２Ｄ通信の方法を実行させる。
【００３８】
第６の態様によれば、本発明の実施形態は、基地局を提供し、基地局は、プロセッサ及びメモリを含み、メモリは、実行可能命令を格納し、基地局が動作すると、プロセッサは、メモリと通信を行い、プロセッサは、実行可能命令を実行することにより、基地局に、本発明の任意の実施形態において提供されるデバイスツーデバイスＤ２Ｄ通信の方法を実行させる。
【００３９】
本発明の複数の実施形態において提供されるデバイスツーデバイスＤ２Ｄ通信の方法及び装置を用いることによって、Ｄ２Ｄ通信に用いられる通信信号リソース及び通信信号リソースのタイミング情報が取得され、第２のデバイスによって送信された通信信号は、通信信号リソースのタイミング情報に従って、通信信号リソースにおいて受信される。これは、複数のユーザデバイス間における同期を実装（時刻同期及び周波数同期）し、これにより、異なるセルに位置する複数のユーザが、デバイスツーデバイス近接サービスを利用可能となる。
【図面の簡単な説明】
【００４０】
【図１】本発明の実施形態に係るデバイスツーデバイスＤ２Ｄ通信の方法のフローチャートである。
【００４１】
【図２】本発明の実施形態に係るデバイスツーデバイスＤ２Ｄ通信の方法の他のフローチャートである。
【００４２】
【図３】本発明の実施形態に係るデバイスツーデバイスＤ２Ｄ通信の方法の信号送信フローチャートである。
【００４３】
【図４】本発明の実施形態に係る第１のデバイスの構造の模式図である。
【００４４】
【図５】本発明の実施形態に係る基地局の構造の模式図である。
【００４５】
【図６】本発明の実施形態に係る第１のデバイスの構造の他の模式図である。
【００４６】
【図７】本発明の実施形態に係る基地局の構造の他の模式図である。
【発明を実施するための形態】
【００４７】
本明細書において説明される複数の技術は、様々な通信システム、例えば、現行の２Ｇ及び３Ｇ通信システム、並びに次世代通信システム、例えば、グローバルシステムフォーモバイルコミュニケーションズ（ＧＳＭ（登録商標）、Ｇｌｏｂａｌ  Ｓｙｓｔｅｍ  ｆｏｒ  Ｍｏｂｉｌｅ  Ｃｏｍｍｕｎｉｃａｔｉｏｎｓ）、符号分割多重アクセス（ＣＤＭＡ、Ｃｏｄｅ  Ｄｉｖｉｓｉｏｎ  Ｍｕｌｔｉｐｌｅ  Ａｃｃｅｓｓ）システム、時分割多重アクセス（ＴＤＭＡ、Ｔｉｍｅ  Ｄｉｖｉｓｉｏｎ  Ｍｕｌｔｉｐｌｅ  Ａｃｃｅｓｓ）システム、ワイドバンド符号分割多重アクセス（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）、周波数多重アクセス（ＦＤＭＡ、Ｆｒｅｑｕｅｎｃｙ  Ｄｉｖｉｓｉｏｎ  Ｍｕｌｔｉｐｌｅ  Ａｃｃｅｓｓ）システム、直交周波数分割多重アクセス（ＯＦＤＭＡ、Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、シングルキャリアＦＤＭＡ（ＳＣ−ＦＤＭＡ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロングタームエボリューション（ＬＴＥ、Ｌｏｎｇ  Ｔｅｒｍ  Ｅｖｏｌｕｔｉｏｎ）システム及び他の複数の通信システムに適用可能である。
【００４８】
本願に含まれるユーザデバイスは、無線端末又は有線端末であってよい。無線端末は、ユーザに音声及び／又はデータ接続性を提供するデバイス、無線接続機能を有するハンドヘルドデバイス、又は無線モデムに接続される他の処理デバイスを指してよい。無線端末は、（ＲＡＮ、無線アクセスネットワークのような）無線アクセスネットワークを用いることによって、１つまたは複数のコアネットワークと通信を行ってよい。無線端末は、モバイル電話（「セルラ」電話とも称される）のようなモバイル端末であってよく、モバイル端末を有するコンピュータは、例えば、無線アクセスネットワークと言葉及び／又はデータを交換するポータブルで、ポケットサイズで、ハンドヘルド型で、コンピュータ内蔵又は車載型のモバイル装置であってよい。例えば、これは、パーソナル通信サービス（ＰＣＳ、パーソナル通信サービス）電話、コードレス電話セット、セッション初期化プロトコル（ＳＩＰ）電話、無線ローカルループ（ＷＬＬ、Ｗｉｒｅｌｅｓｓ  Ｌｏｃａｌ  Ｌｏｏｐ）ステーション、又はパーソナルデジタルアシスタント（ＰＤＡ、Ｐｅｒｓｏｎａｌ  Ｄｉｇｉｔａｌ  Ａｓｓｉｓｔａｎｔ）のようなデバイスであってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、モバイルステーション（Ｍｏｂｉｌｅ  Ｓｔａｔｉｏｎ）、モバイル端末（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセスターミナル（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ）と称されてもよい。
【００４９】
本願に含まれるネットワークデバイスは、例えば、基地局又は無線ネットワークコントローラ（Ｒａｄｉｏ  Ｎｅｔｗｏｒｋ  Ｃｏｎｔｒｏｌｌｅｒ、ＲＮＣ）であってよい。
【００５０】
基地局（例えば、アクセスポイント）は、ＧＳＭ（登録商標）又はＣＤＭＡにおける基地局（ＢＴＳ、Ｂａｓｅ  Ｔｒａｎｓｃｅｉｖｅｒ  Ｓｔａｔｉｏｎ）であってよく、ＷＣＤＭＡ（登録商標）における基地局（ＮｏｄｅＢ）であってよく、ＬＴＥにおけるイボルブドノードＢ（ｅｖｏｌｖｅｄ  Ｎｏｄｅ  Ｂ、略してｅ−ＮｏｄｅＢ）であってよく、又は、Ｄ２Ｄ通信におけるユーザクラスタのクラスタヘッド（ｃｌｕｓｔｅｒ  ｈｅａｄ）であってよく、これは、本願において限定されない。
【００５１】
図１は、本発明の実施形態に係るデバイスツーデバイスＤ２Ｄ通信の方法のフローチャートである。図１に示されるように、本実施形態の方法は、以下を含む。
【００５２】
１０１において、第１のデバイスは、通信信号リソース及び通信信号リソースのタイミング情報を取得し、通信信号リソースがＤ２Ｄ通信に用いられる。
【００５３】
１０２において、第１のデバイスは、通信信号リソースのタイミング情報に従って、通信信号リソースにおいて、第２のデバイスによって送信された通信信号を受信する。
【００５４】
具体的には、第１のデバイス及び第２のデバイスは、異なるセルもしくは異なクラスタ（ｃｌｕｓｔｅｒ）に位置するユーザデバイスであってよく、又は、同じセルもしくは同じクラスタ（ｃｌｕｓｔｅｒ）に位置する異なユーザデバイスであってよい。Ｄ２Ｄ通信は、デバイスツーデバイス近接サービス（Ｄ２ＤＰｒｏＳｅ）である。複数のユーザデバイス間において、通信信号リソースがＤ２Ｄ通信に用いられる。実際には、通信信号リソースは、通信信号リソースの識別子を用いることによって区別されてよい。
【００５５】
本発明の本実施形態において提供されるデバイスツーデバイスＤ２Ｄ通信の方法を用いることによって、Ｄ２Ｄ通信に用いられる通信信号リソース及び通信信号リソースのタイミング情報が取得され、第２のデバイスによって送信された通信信号が、通信信号リソースのタイミング情報に従って、通信信号リソースにおいて受信される。これは、Ｄ２Ｄ通信用の複数のユーザデバイス間における同期を実装（時刻同期及び周波数同期）し、これにより、異なるセルに位置する複数のユーザ又は同じセルに位置するものの異なるタイミング基準を有する複数のユーザは、デバイスツーデバイス近接サービスを利用可能である。
【００５６】
前述された実施形態に基づいて、Ｄ２Ｄ通信は、Ｄ２Ｄ発見及び／又はＤ２Ｄ直接通信を含む。実際には、第１のデバイスのサービングセルは、第１のセルであり、第２のデバイスのサービングセルは、第２のセルである。第１のセル及び第２のセルは、同じセルであってよく、同じ基地局の異なるセルであってよく、又は、異なる基地局の複数のセルであってよい。１つまたは複数の第２のデバイスが存在してもよく、少なくとも１つの第２のセルが存在してもよいことを理解されたい。
【００５７】
第１のセルが属する基地局（第１の基地局）は、通信インタフェース（例えば、２つのＮｏｄｅＢ間のＸ２インタフェース）を用いることによって、隣接基地局によって制御される（少なくとも第２のセルを含む）各セルによってサービスされるそれぞれのユーザに割り当てられた通信信号リソースを、隣接基地局から取得し、第１のセルが属する基地局によって制御される（少なくとも第１のセルを含む）各セルによってサービスされるそれぞれのユーザに割り当てられた通信信号リソースと組み合わせて、通信信号リソースについての情報を取得する。通信信号リソースは、第２のデバイスのサービングセル（第２のセル）が、第２のセル（第２のデバイスの通信信号リソースと称される）によってサービスされるユーザに割り当てる通信信号リソースを少なくとも含む。第１のデバイスは、通信信号リソースについての情報を第１の基地局から取得し、通信信号リソースについての情報に従って、通信信号リソースにおいて、第２のデバイスによって送信された通信信号を受信する。
【００５８】
任意に、実際のリソース割り当てポリシに従って、通信信号リソースは、第１の通信信号リソース及び第２の通信信号リソースを含んでよい。それに応じて、通信信号リソースのタイミング情報は、第１の通信信号リソースのタイミング情報及び第２の通信信号リソースのタイミング情報を含んでよい。第１の通信信号リソースのタイミング情報と第２の通信信号リソースのタイミング情報とは、同じタイミング情報であってよく、又は、異なタイミング情報であってよい。第１の通信信号リソースのタイミング情報に従って、第１のデバイスは、第１の通信信号リソースにおいて、第２のデバイスによって送信された通信信号を受信してよく、第１の通信信号リソースにおいて、第１のデバイスの通信信号をさらに送信してよい。しかしながら、第１のデバイスは、第２の通信信号リソースのタイミング情報に従って、第２の通信信号リソースにおいて、第２のデバイスによって送信された通信信号のみを受信してよい。第１の通信信号リソースは、リソースグループであってよく、例えば、リソースａ、ｂ、ｃ、及びｄを含んでよい。第１のデバイスは、リソースにおいて第２のデバイスの通信信号を受信し、リソースｃにおいて第１のデバイスの通信信号を送信してよい。リソースａ及びリソースｃは異なるリソースであるが、両者とも第１の通信信号リソースに属する。本実施形態において、通信信号リソースは、受信のみをサポートする第２の通信信号リソースの受信及び送信の両方をサポートする第１の通信信号リソースに分類される。これは、Ｄ２Ｄ通信処理における複数の信号の受信及び送信に必要な複数のリソースを、フレキシブルな構成で実装する。
【００５９】
実施可能な実装態様において、前述された実施形態に基づいて、複数の第２のデバイスは、同じ通信信号リソースを共有してよい。この場合、複数の第２のデバイスが同じ通信信号リソースを用いることによってＤ２Ｄ通信を実行する場合、タイミングは異なる。
【００６０】
前述された実施形態に基づいて、第１のデバイスは、少なくとも２つの実装態様で、通信信号リソースについての情報を取得する。
【００６１】
態様１において、第１のデバイスは、通信信号リソースのタイミング信号を取得し、通信信号リソースのタイミング信号に従って、通信信号リソースのタイミング情報を決定する。第１のデバイスが通信信号リソースのタイミング信号を取得するための実装方法は、第１のデバイスが、通信信号リソースのタイミング信号のインジケーション情報を取得し、通信信号リソースのタイミング信号のインジケーション情報に従って、通信信号リソースのタイミング信号を取得することであってよい。
【００６２】
態様２において、第１のデバイスは、基準タイミング信号のインジケーション情報及び基準タイミング信号のタイミングに対する通信信号リソースのタイミングの時差を取得し、基準タイミング信号のインジケーション情報に従って、基準タイミング信号を取得し、基準タイミング信号に従って、基準タイミング信号のタイミング情報を決定し、基準タイミング信号のタイミング情報に従って、通信信号リソースのタイミング情報を取得し、基準タイミング信号のタイミングは、通信信号リソースのタイミングの時差に等しい。
【００６３】
具体的には、第１のデバイスは、基準タイミング信号のインジケーション情報及び基準タイミング信号のタイミングに対する通信信号リソースのタイミングの時差を、第１の基地局から取得し、基準タイミング信号のインジケーション情報に従って、基準タイミング信号を取得し、次に、基準タイミング信号のタイミング情報を決定し、さらに、基準タイミング信号のタイミング情報に従って、通信信号リソースのタイミング情報を取得し、基準タイミング信号のタイミングは、通信信号リソースのタイミングの時差に等しい。
【００６４】
基準タイミング信号は、共通のタイミングの基準リソースであり、複数のセルの通信信号リソースに基準タイミングを提供してよい。任意に、基準タイミング信号は、別個のタイミングの基準リソース、第１のデバイスの通信信号リソースのタイミング情報（すなわち、第１のセルによってサービスされるユーザに、第１のセルによって割り当てられた通信信号リソースのタイミング情報）、第２のデバイスの通信信号リソースのタイミング情報、又は、他のセル（すなわち、第１のセル及び第２のセルを除くセル）の通信信号リソースのタイミング情報であってよい。
【００６５】
実際には、タイミング信号のインジケーション情報は、主同期信号（Ｐｒｉｍａｒｙ  Ｓｙｎｃｈｒｏｎｉｚａｔｉｏｎ  Ｓｉｇｎａｌ、略してＰＳＳ）のインジケーション情報、及び／又は副同期信号（Ｓｅｃｏｎｄａｒｙ  Ｓｙｎｃｈｒｏｎｉｚａｔｉｏｎ  Ｓｉｇｎａｌ、略してＳＳＳ）のインジケーション情報、及び／又は共通基準信号（Ｃｏｍｍｏｎ  Ｒｅｆｅｒｅｎｃｅ  Ｓｉｇｎａｌ、略してＣＲＳ）のインジケーション情報、及び／又は復調基準信号のインジケーション情報、及び／又はセル特定情報、及び／又はＰＤ２ＤＳＳのインジケーション情報、及び／又はＳＤ２ＤＳＳのインジケーション情報、及び／又はＤ２Ｄ復調基準信号（Ｄ２Ｄ−Ｄｏｍｏｄｕｌａｔｉｏｎ  Ｒｅｆｅｒｅｎｃｅ  Ｓｉｇｎａｌ、略してＤ２Ｄ−ＤＭＲＳ）のインジケーション情報、及び／又はＤ２Ｄクラスタ（Ｄ２Ｄ  ｃｌｕｓｔｅｒ）のインジケーション情報であってよい。
【００６６】
図２は、本発明の実施形態に係るデバイスツーデバイスＤ２Ｄ通信の方法の他のフローチャートである。図２に示されるように、本実施形態の方法は、以下の段階を含む。
【００６７】
２０１において、基地局は、通信信号リソース及び通信信号リソースのタイミング情報を取得し、通信信号リソースがＤ２Ｄ通信に用いられる。
【００６８】
２０２において、基地局は、通信信号リソース及び通信信号リソースのタイミング情報を第１のデバイスに送信し、これにより、第１のデバイスが、通信信号リソースのタイミング情報に従って、通信信号リソースにおいて、第２のデバイスによって送信された通信信号を受信する。
【００６９】
具体的には、基地局は、第１のデバイスのサービングセルが属する基地局である。基地局は、Ｄ２Ｄ通信に用いられる通信信号リソース及び通信信号リソースのタイミング情報を取得し、通信信号リソース及び通信信号リソースのタイミング情報を第１のデバイスに送信する。第１のデバイスは、通信信号リソースのタイミング情報に従って、通信信号リソースにおいて、第２のデバイスによって送信された通信信号を受信する。
【００７０】
本発明の本実施形態において提供されるデバイスツーデバイスＤ２Ｄ通信の方法を用いることによって、Ｄ２Ｄ通信に用いられる通信信号リソース及び通信信号リソースのタイミング情報は、取得されて第１のデバイスに提供され、これにより、第１のデバイスが、通信信号リソースのタイミング情報に従って、通信信号リソースにおいて、第２のデバイスによって送信された通信信号を受信する。これは、複数のユーザデバイス間におけるＤ２Ｄ通信の同期を実装し、これにより、異なるセルに位置する複数のユーザは、デバイスツーデバイス近接サービスを利用可能となる。
【００７１】
図３は、本発明の実施形態に係るデバイスツーデバイスＤ２Ｄ通信の方法の信号送信フローチャートである。方法は、第１のデバイス、第２のデバイス、及び第１の基地局によって連携して実行され、第１の基地局は、第１のデバイスのサービングセル（第１のセル）が属する基地局である。図３に示されるように、方法は、以下の段階を含む。
【００７２】
３０１において、第１の基地局は、通信信号リソース及び通信信号リソースのタイミング情報を第１のデバイスに送信し、通信信号リソースは、基地局によって制御される各セルによって、セルによってサービスされるそれぞれのユーザに割り当てられ、これにより、Ｄ２Ｄ通信を実行する。
【００７３】
３０２において、第１のデバイスは、通信信号リソースのタイミング情報を用いることによって、通信信号リソースにおいて、第２のデバイスによって送信された通信信号を受信する。
【００７４】
図４は、本発明の実施形態に係る第１のデバイスの構造の模式図である。図４に示されるように、本実施形態において提供される第１のデバイス４００は、取得モジュール４０１と送受信モジュール４０２とを含む。
【００７５】
取得モジュール４０１は、通信信号リソース及び通信信号リソースのタイミング情報を取得するように構成され、通信信号リソースがＤ２Ｄ通信に用いられる。
【００７６】
送受信モジュール４０２は、取得モジュール４０１によって取得された通信信号リソースのタイミング情報に従って、通信信号リソースにおいて、第２のデバイスによって送信された通信信号を受信するように構成される。
【００７７】
本発明の本実施形態において提供される第１のデバイス４００は、図１に示される方法の実施形態の技術的解決手段を実行するために用いられてよい。これらの実装原則及び技術的効果は同様であり、詳細を本明細書において繰り返し説明することはしない。
【００７８】
実装態様において、取得モジュール４０１は、具体的には、通信信号リソースのタイミング信号を取得し、通信信号リソースのタイミング信号に従って、通信信号リソースのタイミング情報を決定するように構成される。
【００７９】
さらに、取得モジュール４０１は、具体的には、通信信号リソースのタイミング信号のインジケーション情報を取得し、通信信号リソースのタイミング信号のインジケーション情報に従って、通信信号リソースのタイミング信号を取得するように構成される。
【００８０】
他の実装態様において、取得モジュール４０１は、具体的には、基準タイミング信号のインジケーション情報及び基準タイミング信号のタイミングに対する通信信号リソースのタイミングの時差を取得し、基準タイミング信号のインジケーション情報に従って、基準タイミング信号を取得し、基準タイミング信号に従って、基準タイミング信号のタイミング情報を決定し、基準タイミング信号のタイミング情報に従って、通信信号リソースのタイミング情報を取得するように構成され、基準タイミング信号のタイミングは、通信信号リソースのタイミングの時差に等しい。任意に、基準タイミング信号は、第１のデバイスの通信信号リソースのタイミング信号である。
【００８１】
さらに、タイミング信号のインジケーション情報は、主同期信号ＰＳＳのインジケーション情報、及び／又は副同期信号ＳＳＳのインジケーション情報、及び／又は共通基準信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２Ｄクラスタのインジケーション情報である。
【００８２】
任意に、通信信号リソースは、第１の通信信号リソース及び第２の通信信号リソースを含み、それに応じて、通信信号リソースのタイミング情報は、第１の通信信号リソースのタイミング情報及び第２の通信信号リソースのタイミング情報を含み、送受信モジュール４０２は、具体的には、第２のデバイスによって送信された通信信号を受信し、第１の通信信号リソースのタイミング情報に従って、第１の通信信号リソースにおいて、第１のデバイスの通信信号を送信し、第２の通信信号リソースのタイミング情報に従って、第２の通信信号リソースにおいて、第２のデバイスによって送信された通信信号を受信するように構成される。
【００８３】
任意に、Ｄ２Ｄ通信は、Ｄ２Ｄ発見及び／又はＤ２Ｄ直接通信を含む。
【００８４】
図５は、本発明の実施形態に係る基地局の構造の模式図である。図５に示されるように、本実施形態において提供される基地局５００は、取得モジュール５０１と送信モジュール５０２とを含む。
【００８５】
取得モジュール５０１は、通信信号リソース及び通信信号リソースのタイミング情報を取得するように構成され、通信信号リソースがＤ２Ｄ通信に用いられる。
【００８６】
送信モジュール５０２は、取得モジュール５０１によって取得された通信信号リソース及び通信信号リソースのタイミング情報を第１のデバイスに送信し、これにより、第１のデバイスが、通信信号リソースのタイミング情報に従って、通信信号リソースにおいて、第２のデバイスによって送信された通信信号を受信するように構成される。
【００８７】
本発明の本実施形態において提供される基地局５００は、図２に示される方法の実施形態の技術的解決手段を実行するために用いられてよい。これらの実装原則及び技術的効果は同様であり、詳細を本明細書において繰り返し説明することはしない。
【００８８】
実装態様において、送信モジュール５０２は、具体的には、通信信号リソース及び通信信号リソースのタイミング信号を、第１のデバイスに送信し、これにより、第１のデバイスが、通信信号リソースのタイミング信号に従って、通信信号リソースのタイミング情報を決定し、通信信号リソースのタイミング情報に従って、通信信号リソースにおいて、第２のデバイスによって送信された通信信号を受信するように構成される。
【００８９】
さらに、送信モジュール５０２は、具体的には、通信信号リソースのタイミング信号のインジケーション情報を第１のデバイスに送信し、これにより、第１のデバイスは、通信信号リソースのタイミング信号のインジケーション情報に従って、通信信号リソースのタイミング信号を取得し、通信信号リソースのタイミング信号に従って、通信信号リソースのタイミング情報を決定するように構成される。
【００９０】
他の実装態様において、送信モジュール５０２は、具体的には、基準タイミング信号のインジケーション情報、通信信号リソース、及び基準タイミング信号のタイミングに対する通信信号リソースのタイミングの時差を第１のデバイスに送信し、これにより、第１のデバイスが、基準タイミング信号のインジケーション情報及び基準タイミング信号のタイミングに対する通信信号リソースのタイミングの時差に従って、通信信号リソースのタイミング情報を取得し、通信信号リソースのタイミング情報を用いることによって、通信信号リソースにおいて、第２のデバイスによって送信された通信信号を受信するように構成される。任意に、基準タイミング信号は、第１のデバイスの通信信号リソースのタイミング信号である。
【００９１】
さらに、タイミング信号のインジケーション情報は、主同期信号ＰＳＳのインジケーション情報、及び／又は副同期信号ＳＳＳのインジケーション情報、及び／又は共通基準信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２Ｄクラスタのインジケーション情報である。
【００９２】
任意に、通信信号リソースは、第１の通信信号リソース及び第２の通信信号リソースを含み、それに応じて、通信信号リソースのタイミング情報は、第１の通信信号リソースのタイミング情報及び第２の通信信号リソースのタイミング情報を含み、送信モジュール５０２は、具体的には、第１の通信信号リソース、第２の通信信号リソース、第１の通信信号リソースのタイミング情報、及び第２の通信信号リソースのタイミング情報を第１のデバイスに送信し、これにより、第１のデバイスが、第２のデバイスによって送信された通信信号を受信すると共に、第１の通信信号リソースのタイミング情報に従って、第１の通信信号リソースにおいて、第１のデバイスの通信信号を送信し、かつ、第１のデバイスが、第２の通信信号リソースのタイミング情報に従って、第２の通信信号リソースにおいて、第２のデバイスによって送信された通信信号を受信するように構成される。
【００９３】
任意に、Ｄ２Ｄ通信は、Ｄ２Ｄ発見及び／又はＤ２Ｄ直接通信を含む。
【００９４】
図６は、本発明の実施形態に係る第１のデバイスの構造の他の模式図である。図６に示されるように、本発明の本実施形態において提供される第１のデバイス６００は、プロセッサ６０１と、メモリ６０２と、通信インタフェース６０３とを含み、通信バス６０４をさらに含む。プロセッサ６０１、メモリ６０２、及び通信インタフェース６０３は、通信バス６０４を用いることによって、互いに接続される。
【００９５】
プロセッサ６０１は、中央処理装置（Ｃｅｎｔｒａｌ  Ｐｒｏｃｅｓｓｉｎｇ  Ｕｎｉｔ、略してＣＰＵ）、ネットワークプロセッサ（Ｎｅｔｗｏｒｋ  Ｐｒｏｃｅｓｓｏｒ、略してＮＰ）等を含む汎用プロセッサであってよく、又は、デジタル信号プロセッサ（ＤＳＰ）、特定用途向け集積回路（ＡＳＩＣ）、フィールドプログラマブルゲートアレイ（ＦＰＧＡ）もしくは他のプログラマブルロジックデバイス、又は別個のハードウェアコンポーネントであってよい。
【００９６】
メモリ６０２は、プログラムを格納するように構成される。具体的には、プログラムは、プログラムコードを含んでよく、プログラムコードは、コンピュータオペレーション命令を含む。メモリ６０２は、高速ＲＡＭを含んでよく、不揮発性メモリ（ｎｏｎ−ｖｏｌａｔｉｌｅ  ｍｅｍｏｒｙ）、例えば、少なくとも１つのディスクメモリをさらに含んでよい。
【００９７】
通信インタフェース６０３は、第１のデバイス６００と他のデバイスとの間で通信を行うように構成され、データパケットは、通信インタフェースを用いることによって受信又は送信されてよい。
【００９８】
第１のデバイス６００が動作する場合、プロセッサ６０１は、メモリ６０２と通信を行い、プロセッサ６０１は、メモリ６０２に格納されたプログラムを実行し、本発明の本実施形態において提供されるデバイスツーデバイスＤ２Ｄ通信の方法を実行する。方法は、通信信号リソース及び通信信号リソースのタイミング情報を取得する段階であって、通信信号リソースがＤ２Ｄ通信に用いられる段階と、通信信号リソースのタイミング情報に従って、通信信号リソースにおいて、第２のデバイスによって送信された通信信号を受信する段階と、を含む。
【００９９】
実装態様において、通信信号リソースのタイミング情報を取得する段階は、通信信号リソースのタイミング信号を取得する段階と、通信信号リソースのタイミング信号に従って、通信信号リソースのタイミング情報を決定する段階と、を含む。
【０１００】
さらに、通信信号リソースのタイミング信号を取得する段階は、通信信号リソースのタイミング信号のインジケーション情報を取得する段階と、通信信号リソースのタイミング信号のインジケーション情報に従って、通信信号リソースのタイミング信号を取得する段階と、を含む。
【０１０１】
他の実装態様において、通信信号リソースのタイミング情報を取得する段階は、基準タイミング信号のインジケーション情報及び基準タイミング信号のタイミングに対する通信信号リソースのタイミングの時差を取得する段階と、基準タイミング信号のインジケーション情報に従って、基準タイミング信号を取得する段階と、基準タイミング信号に従って、基準タイミング信号のタイミング情報を決定する段階と、基準タイミング信号のタイミング情報に従って、通信信号リソースのタイミング情報を取得する段階と、を含み、基準タイミング信号のタイミングは、通信信号リソースのタイミングの時差に等しい。任意に、基準タイミング信号は、第１のデバイスの通信信号リソースのタイミング信号である。
【０１０２】
さらに、タイミング信号のインジケーション情報は、主同期信号ＰＳＳのインジケーション情報、及び／又は副同期信号ＳＳＳのインジケーション情報、及び／又は共通基準信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２Ｄクラスタのインジケーション情報である。
【０１０３】
任意に、通信信号リソースは、第１の通信信号リソース及び第２の通信信号リソースを含み、それに応じて、通信信号リソースのタイミング情報は、第１の通信信号リソースのタイミング情報及び第２の通信信号リソースのタイミング情報を含み、通信信号リソースのタイミング情報に従って、通信信号リソースにおいて、第２のデバイスによって送信された通信信号を受信する段階は、第２のデバイスによって送信された通信信号を受信すると共に、第１の通信信号リソースのタイミング情報に従って、第１の通信信号リソースにおいて、第１のデバイスの通信信号を送信する段階と、第２の通信信号リソースのタイミング情報に従って、第２の通信信号リソースにおいて、第２のデバイスによって送信された通信信号を受信する段階と、を含む。
【０１０４】
任意に、Ｄ２Ｄ通信は、Ｄ２Ｄ発見及び／又はＤ２Ｄ直接通信を含む。
【０１０５】
図７は、本発明の実施形態に係る基地局の構造の他の模式図である。図７に示されるように、本発明の本実施形態において提供される基地局７００は、プロセッサ７０１と、メモリ７０２と、通信インタフェース７０３とを含み、通信バス７０４をさらに含む。プロセッサ７０１、メモリ７０２、及び通信インタフェース７０３は、通信バス７０４を用いることによって、互いに接続される。
【０１０６】
プロセッサ７０１は、中央処理装置（Ｃｅｎｔｒａｌ  Ｐｒｏｃｅｓｓｉｎｇ  Ｕｎｉｔ、略してＣＰＵ）、ネットワークプロセッサ（Ｎｅｔｗｏｒｋ  Ｐｒｏｃｅｓｓｏｒ、略してＮＰ）等を含む汎用プロセッサであってよく、又は、デジタル信号プロセッサ（ＤＳＰ）、特定用途向け集積回路（ＡＳＩＣ）、フィールドプログラマブルゲートアレイ（ＦＰＧＡ）もしくは他のプログラマブルロジックデバイス、又は別個のハードウェアコンポーネントであってよい。 
【０１０７】
メモリ７０２は、プログラムを格納するように構成される。具体的には、プログラムは、プログラムコードを含んでよく、プログラムコードは、コンピュータオペレーション命令を含む。メモリ７０２は、高速ＲＡＭを含んでよく、不揮発性メモリ（ｎｏｎ−ｖｏｌａｔｉｌｅ  ｍｅｍｏｒｙ）、例えば、少なくとも１つのディスクメモリをさらに含んでよい。
【０１０８】
通信インタフェース７０３は、基地局７００と他のデバイスとの間で通信を行うように構成され、データパケットは、通信インタフェースを用いることによって受信又は送信されてよい。
【０１０９】
基地局７００が動作する場合、プロセッサ７０１は、メモリ７０２と通信を行い、プロセッサ７０１は、メモリ７０２に格納されたプログラムを実行し、本発明の本実施形態において提供されるデバイスツーデバイスＤ２Ｄ通信の方法を実行する。方法は、通信信号リソース及び通信信号リソースのタイミング情報を取得する段階であって、通信信号リソースがＤ２Ｄ通信に用いられる段階と、通信信号リソース及び通信信号リソースのタイミング情報を第１のデバイスに送信し、これにより、第１のデバイスが、通信信号リソースのタイミング情報に従って、通信信号リソースにおいて、第２のデバイスによって送信された通信信号を受信する段階と、を含む。
【０１１０】
実装態様において、通信信号リソース及び通信信号リソースのタイミング情報を第１のデバイスに送信し、これにより、第１のデバイスが、通信信号リソースのタイミング情報に従って、通信信号リソースにおいて、第２のデバイスによって送信された通信信号を受信する段階は、通信信号リソース及び通信信号リソースのタイミング信号を第１のデバイスに送信し、これにより、第１のデバイスが、通信信号リソースのタイミング信号に従って、通信信号リソースのタイミング情報を決定する段階と、通信信号リソースのタイミング情報に従って、通信信号リソースにおいて、第２のデバイスによって送信された通信信号を受信する段階と、を含む。
【０１１１】
さらに、通信信号リソースのタイミング信号を第１のデバイスに送信し、これにより、第１のデバイスが、通信信号リソースのタイミング信号に従って、通信信号リソースのタイミング情報を決定する段階は、通信信号リソースのタイミング信号のインジケーション情報を第１のデバイスに送信し、これにより、第１のデバイスが、通信信号リソースのタイミング信号のインジケーション情報に従って、通信信号リソースのタイミング信号を取得し、通信信号リソースのタイミング信号に従って、通信信号リソースのタイミング情報を決定する段階を含む。
【０１１２】
他の実装態様において、通信信号リソース及び通信信号リソースのタイミング情報を第１のデバイスに送信し、これにより、第１のデバイスが、通信信号リソースのタイミング情報に従って、通信信号リソースにおいて、第２のデバイスによって送信された通信信号を受信する段階は、基準タイミング信号のインジケーション情報、通信信号リソース、及び基準タイミング信号のタイミングに対する通信信号リソースのタイミングの時差を第１のデバイスに送信し、これにより、第１のデバイスが、基準タイミング信号のインジケーション情報及び基準タイミング信号のタイミングに対する通信信号リソースのタイミングの時差に従って通信信号リソースのタイミング情報を取得し、通信信号リソースのタイミング情報を用いることによって、通信信号リソースにおいて、第２のデバイスによって送信された通信信号を受信する段階を含む。任意に、基準タイミング信号は、第１のデバイスの通信信号リソースのタイミング信号である。
【０１１３】
さらに、タイミング信号のインジケーション情報は、主同期信号ＰＳＳのインジケーション情報、及び／又は副同期信号ＳＳＳのインジケーション情報、及び／又は共通基準信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２Ｄクラスタのインジケーション情報である。
【０１１４】
任意に、通信信号リソースは、第１の通信信号リソース及び第２の通信信号リソースを含み、それに応じて、通信信号リソースのタイミング情報は、第１の通信信号リソースのタイミング情報及び第２の通信信号リソースのタイミング情報を含み、通信信号リソース及び通信信号リソースのタイミング情報を第１のデバイスに送信し、これにより、第１のデバイスが、通信信号リソースのタイミング情報に従って、通信信号リソースにおいて、第２のデバイスによって送信された通信信号を受信する段階は、第１の通信信号リソース、第２の通信信号リソース、第１の通信信号リソースのタイミング情報、及び第２の通信信号リソースのタイミング情報を第１のデバイスに送信し、これにより、第１のデバイスが、第２のデバイスによって送信された通信信号を受信すると共に、第１の通信信号リソースのタイミング情報に従って、第１の通信信号リソースにおいて、第１のデバイスの通信信号を送信し、かつ、第１のデバイスが、第２の通信信号リソースのタイミング情報に従って、第２の通信信号リソースにおいて、第２のデバイスによって送信された通信信号を受信する段階を含む。
【０１１５】
任意に、Ｄ２Ｄ通信は、Ｄ２Ｄ発見及び／又はＤ２Ｄ直接通信を含む。
【０１１６】
当業者であれば、複数の方法の実施形態の全て又はいくつかの段階が、関連するハードウェアに命令するプログラムによって実装可能であることを理解しよう。プログラムは、コンピュータ可読記憶媒体に格納されてよい。プログラムが動作すると、複数の方法の実施形態の段階が実行される。前述の記憶媒体は、ＲＯＭ、ＲＡＭ、磁気ディスク、又は光ディスクのような、プログラムコードを格納可能な任意の媒体を含む。
【０１１７】
最後に、前述された実施形態は、本発明の技術的解決手段を説明することを意図するものに過ぎず、本発明を限定するものではないことに留意されたい。本発明は、前述された実施形態を参照して詳細に説明されたが、当業者であれば、本発明の複数の実施形態の技術的解決手段の範囲から逸脱することなく、前述された実施形態において説明された技術的解決手段をさらに変更可能であり、又は、これらのいくつか又は全ての技術的特徴に均等な置換をなし得ることを理解すべきである。
［項目１］
デバイスツーデバイスＤ２Ｄ通信の方法であって、
通信信号リソース及び上記通信信号リソースのタイミング情報を第１のデバイスによって取得する段階であって、上記通信信号リソースがＤ２Ｄ通信に用いられる段階と、
上記通信信号リソースの上記タイミング情報に従って、上記通信信号リソースにおいて、第２のデバイスによって送信された通信信号を上記第１のデバイスによって受信する段階と、
を備える、方法。
［項目２］
上記通信信号リソースの上記タイミング情報を第１のデバイスによって取得する段階は、
上記通信信号リソースのタイミング信号を上記第１のデバイスによって取得する段階と、
上記通信信号リソースの上記タイミング信号に従って、上記通信信号リソースの上記タイミング情報を上記第１のデバイスによって決定する段階と、
を含む、項目１に記載の方法。
［項目３］
上記通信信号リソースのタイミング信号を第１のデバイスによって取得する段階は、
上記通信信号リソースの上記タイミング信号のインジケーション情報を、上記第１のデバイスによって取得する段階と、
上記通信信号リソースの上記タイミング信号の上記インジケーション情報に従って、上記通信信号リソースの上記タイミング信号を上記第１のデバイスによって取得する段階と、
を含む、項目２に記載の方法。
［項目４］
上記通信信号リソースのタイミング情報を第１のデバイスによって取得する段階は、
基準タイミング信号のインジケーション情報及び上記基準タイミング信号のタイミングに対する上記通信信号リソースのタイミングの時差を、上記第１のデバイスによって取得する段階と、
上記基準タイミング信号の上記インジケーション情報に従って、上記基準タイミング信号を上記第１のデバイスによって取得する段階と、
上記基準タイミング信号に従って、上記基準タイミング信号のタイミング情報を上記第１のデバイスによって決定する段階と、
上記基準タイミング信号の上記タイミング情報に従って、上記通信信号リソースの上記タイミング情報を上記第１のデバイスによって取得する段階と、
を含み、
上記基準タイミング信号の上記タイミングは、上記通信信号リソースの上記タイミングの上記時差に等しい、項目１に記載の方法。
［項目５］
上記基準タイミング信号は、上記第１のデバイスの通信信号リソースのタイミング信号である、項目４に記載の方法。
［項目６］
上記タイミング信号の上記インジケーション情報は、主同期信号ＰＳＳのインジケーション情報、及び／又は副同期信号ＳＳＳのインジケーション情報、及び／又は共通パイロット信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２ＤクラスタＤ２Ｄクラスタの識別情報である、項目３から５のいずれか１項に記載の方法。
［項目７］
上記通信信号リソースは、第１の通信信号リソース及び第２の通信信号リソースを含み、それに応じて、上記通信信号リソースの上記タイミング情報は、上記第１の通信信号リソースのタイミング情報及び上記第２の通信信号リソースのタイミング情報を含み、上記通信信号リソースの上記タイミング情報に従って、上記通信信号リソースにおいて、第２のデバイスによって送信された通信信号を上記第１のデバイスによって受信する段階は、
上記第２のデバイスによって送信された上記通信信号を上記第１のデバイスによって受信すると共に、上記第１の通信信号リソースの上記タイミング情報に従って、上記第１の通信信号リソースにおいて、上記第１のデバイスの通信信号を送信する段階と、上記第２の通信信号リソースの上記タイミング情報に従って、上記第２の通信信号リソースにおいて、上記第２のデバイスによって送信された上記通信信号を受信する段階と、
を含む、項目１から６のいずれか１項に記載の方法。
［項目８］
上記Ｄ２Ｄ通信は、Ｄ２Ｄ発見及び／又はＤ２Ｄ直接通信を含む、項目１から７のいずれか１項に記載の方法。
［項目９］
デバイスツーデバイスＤ２Ｄ通信の方法であって、
通信信号リソース及び上記通信信号リソースのタイミング情報を基地局によって取得する段階であって、上記通信信号リソースがＤ２Ｄ通信に用いられる段階と、
上記通信信号リソース及び上記通信信号リソースの上記タイミング情報を、上記基地局によって第１のデバイスに送信し、これにより、上記第１のデバイスが、上記通信信号リソースの上記タイミング情報に従って、上記通信信号リソースにおいて、第２のデバイスによって送信された通信信号を受信する段階と、
を備える、方法。
［項目１０］
上記通信信号リソース及び上記通信信号リソースの上記タイミング情報を、上記基地局によって第１のデバイスに送信し、これにより、上記第１のデバイスが、上記通信信号リソースの上記タイミング情報に従って、上記通信信号リソースにおいて、第２のデバイスによって送信された通信信号を受信する段階は、
上記通信信号リソース及び上記通信信号リソースのタイミング信号を、上記基地局によって上記第１のデバイスに送信し、これにより、上記第１のデバイスが、上記通信信号リソースの上記タイミング信号に従って、上記通信信号リソースの上記タイミング情報を決定する段階と、上記通信信号リソースの上記タイミング情報に従って、上記通信信号リソースにおいて、上記第２のデバイスによって送信された上記通信信号を受信する段階を含む、項目９に記載の方法。
［項目１１］
通信信号リソースのタイミング信号を上記基地局によって上記第１のデバイスに送信し、これにより、上記第１のデバイスが、上記通信信号リソースの上記タイミング信号に従って上記通信信号リソースの上記タイミング情報を決定する段階は、
上記通信信号リソースの上記タイミング信号のインジケーション情報を、上記基地局によって上記第１のデバイスに送信し、これにより、上記第１のデバイスが、上記通信信号リソースの上記タイミング信号の上記インジケーション情報に従って、上記通信信号リソースの上記タイミング信号を取得し、上記通信信号リソースの上記タイミング信号に従って、上記通信信号リソースの上記タイミング情報を決定する段階を含む、項目１０に記載の方法。
［項目１２］
上記通信信号リソース及び上記通信信号リソースの上記タイミング情報を、上記基地局によって第１のデバイスに送信し、これにより、上記第１のデバイスが、上記通信信号リソースの上記タイミング情報に従って、上記通信信号リソースにおいて、第２のデバイスによって送信された通信信号を受信する段階は、
基準タイミング信号のインジケーション情報、上記通信信号リソース、及び上記基準タイミング信号のタイミングに対する上記通信信号リソースのタイミングの時差を上記基地局によって第１のデバイスに送信し、これにより、上記第１のデバイスが、上記基準タイミング信号の上記インジケーション情報及び上記基準タイミング信号の上記タイミングに対する上記通信信号リソースの上記タイミングの上記時差に従って、上記通信信号リソースの上記タイミング情報を取得し、上記通信信号リソースの上記タイミング情報を用いることによって、上記通信信号リソースにおいて、上記第２のデバイスによって送信された上記通信信号を受信する段階を含む、項目９に記載の方法。
［項目１３］
上記基準タイミング信号は、上記第１のデバイスの通信信号リソースのタイミング信号である、項目１２に記載の方法。
［項目１４］
上記タイミング信号の上記インジケーション情報は、主同期信号ＰＳＳのインジケーション情報、及び／又は副同期信号ＳＳＳのインジケーション情報、及び／又は共通パイロット信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２ＤクラスタＤ２Ｄクラスタの識別情報である、項目１１から１３のいずれか１項に記載の方法。
［項目１５］
上記通信信号リソースは、第１の通信信号リソース及び第２の通信信号リソースを含み、それに応じて、上記通信信号リソースの上記タイミング情報は、上記第１の通信信号リソースのタイミング情報及び上記第２の通信信号リソースのタイミング情報を含み、上記通信信号リソース及び上記通信信号リソースの上記タイミング情報を、上記基地局によって第１のデバイスに送信し、これにより、上記第１のデバイスが、上記通信信号リソースの上記タイミング情報に従って、上記通信信号リソースにおいて、第２のデバイスによって送信された通信信号を受信する段階は、
上記第１の通信信号リソース、上記第２の通信信号リソース、上記第１の通信信号リソースの上記タイミング情報、及び上記第２の通信信号リソースの上記タイミング情報を、上記基地局によって上記第１のデバイスに送信し、これにより、上記第１のデバイスが、上記第２のデバイスによって送信された上記通信信号を受信すると共に、上記第１の通信信号リソースの上記タイミング情報に従って、上記第１の通信信号リソースにおいて、上記第１のデバイスの通信信号を送信し、かつ、上記第１のデバイスが、上記第２の通信信号リソースの上記タイミング情報に従って、上記第２の通信信号リソースにおいて、上記第２のデバイスによって送信された上記通信信号を受信する段階を含む、項目９から１４のいずれか１項に記載の方法。
［項目１６］
上記Ｄ２Ｄ通信は、Ｄ２Ｄ発見及び／又はＤ２Ｄ直接通信を含む、項目９から１５のいずれか１項に記載の方法。
［項目１７］
通信信号リソース及び上記通信信号リソースのタイミング情報を取得するように構成される取得モジュールであって、上記通信信号リソースがＤ２Ｄ通信に用いられる取得モジュールと、
上記取得モジュールによって取得された上記通信信号リソースの上記タイミング情報に従って、上記通信信号リソースにおいて、第２のデバイスによって送信された通信信号を受信するように構成される送受信モジュールと、
を備える、第１のデバイス。
［項目１８］
上記取得モジュールは、具体的には、上記通信信号リソースのタイミング信号を取得し、上記通信信号リソースの上記タイミング信号に従って、上記通信信号リソースの上記タイミング情報を決定するように構成される、項目１７に記載の第１のデバイス。
［項目１９］
上記取得モジュールは、具体的には、上記通信信号リソースの上記タイミング信号のインジケーション情報を取得し、上記通信信号リソースの上記タイミング信号の上記インジケーション情報に従って、上記通信信号リソースの上記タイミング信号を取得するように構成される、項目１８に記載の第１のデバイス。
［項目２０］
上記取得モジュールは、具体的には、基準タイミング信号のインジケーション情報及び上記基準タイミング信号のタイミングに対する上記通信信号リソースのタイミングの時差を取得し、上記基準タイミング信号の上記インジケーション情報に従って、上記基準タイミング信号を取得し、上記基準タイミング信号に従って、上記基準タイミング信号のタイミング情報を決定し、上記基準タイミング信号の上記タイミング情報に従って、上記通信信号リソースの上記タイミング情報を取得するように構成され、上記基準タイミング信号の上記タイミングは、上記通信信号リソースの上記タイミングの上記時差に等しい、項目１７に記載の第１のデバイス。
［項目２１］
上記基準タイミング信号は、上記第１のデバイスの通信信号リソースのタイミング信号である、項目２０に記載の第１のデバイス。
［項目２２］
上記タイミング信号の上記インジケーション情報は、主同期信号ＰＳＳのインジケーション情報、及び／又は副同期信号ＳＳＳのインジケーション情報、及び／又は共通パイロット信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２ＤクラスタＤ２Ｄクラスタの識別情報である、項目１９から２１のいずれか１項に記載の第１のデバイス。
［項目２３］
上記通信信号リソースは、第１の通信信号リソース及び第２の通信信号リソースを含み、それに応じて、上記通信信号リソースの上記タイミング情報は、上記第１の通信信号リソースのタイミング情報及び上記第２の通信信号リソースのタイミング情報を含み、
上記送受信モジュールは、具体的には、上記第２のデバイスによって送信された上記通信信号を受信すると共に、上記第１の通信信号リソースの上記タイミング情報に従って、上記第１の通信信号リソースにおいて、上記第１のデバイスの通信信号を送信し、かつ、上記第２の通信信号リソースの上記タイミング情報に従って、上記第２の通信信号リソースにおいて、上記第２のデバイスによって送信された上記通信信号を受信するように構成される、
項目１７から２２のいずれか１項に記載の第１のデバイス。
［項目２４］
上記Ｄ２Ｄ通信は、Ｄ２Ｄ発見及び／又はＤ２Ｄ直接通信を含む、項目１７から２３のいずれか１項に記載の第１のデバイス。
［項目２５］
通信信号リソース及び上記通信信号リソースのタイミング情報を取得するように構成される取得モジュールであって、上記通信信号リソースがＤ２Ｄ通信に用いられる取得モジュールと、
上記取得モジュールによって取得された上記通信信号リソース及び上記通信信号リソースの上記タイミング情報を、第１のデバイスに送信し、これにより、上記第１のデバイスが、上記通信信号リソースの上記タイミング情報に従って、上記通信信号リソースにおいて、第２のデバイスによって送信された通信信号を受信するように構成される、送信モジュールと、
を備える、基地局。
［項目２６］
上記送信モジュールは、具体的には、上記通信信号リソース及び上記通信信号リソースのタイミング信号を上記第１のデバイスに送信し、これにより、上記第１のデバイスが、上記通信信号リソースの上記タイミング信号に従って、上記通信信号リソースの上記タイミング情報を決定し、上記通信信号リソースの上記タイミング情報に従って、上記通信信号リソースにおいて、上記第２のデバイスによって送信された上記通信信号を受信するように構成される、項目２５に記載の基地局。
［項目２７］
上記送信モジュールは、具体的には、上記通信信号リソースの上記タイミング信号のインジケーション情報を上記第１のデバイスに送信し、これにより、上記第１のデバイスが、上記通信信号リソースのタイミング信号の上記インジケーション情報に従って、上記通信信号リソースの上記タイミング信号を取得し、上記通信信号リソースの上記タイミング信号に従って、上記通信信号リソースの上記タイミング情報を決定するように構成される、項目２６に記載の基地局。
［項目２８］
上記送信モジュールは、具体的には、基準タイミング信号のインジケーション情報、上記通信信号リソース、及び上記基準タイミング信号のタイミングに対する上記通信信号リソースのタイミングの時差を上記第１のデバイスに送信し、これにより、上記第１のデバイスが、上記基準タイミング信号の上記インジケーション情報及び上記基準タイミング信号の上記タイミングに対する上記通信信号リソースの上記タイミングの上記時差に従って、上記通信信号リソースの上記タイミング情報を取得し、上記通信信号リソースの上記タイミング情報を用いることによって、上記通信信号リソースにおいて、上記第２のデバイスによって送信された上記通信信号を受信するように構成される、項目２５に記載の基地局。
［項目２９］
上記基準タイミング信号は、上記第１のデバイスの通信信号リソースのタイミング信号である、項目２８に記載の基地局。
［項目３０］
上記タイミング信号の上記インジケーション情報は、主同期信号ＰＳＳのインジケーション情報、及び／又は副同期信号ＳＳＳのインジケーション情報、及び／又は共通パイロット信号ＣＲＳのインジケーション情報、及び／又は復調基準信号のインジケーション情報、及び／又はセル特定情報、及び／又は主Ｄ２Ｄ同期信号ＰＤ２ＤＳＳのインジケーション情報、及び／又は副Ｄ２Ｄ同期信号ＳＤ２ＤＳＳのインジケーション情報、及び／又はＤ２Ｄ復調基準信号Ｄ２Ｄ−ＤＭＲＳのインジケーション情報、及び／又はＤ２ＤクラスタＤ２Ｄクラスタの識別情報である、項目２７から２９のいずれか１項に記載の基地局。
［項目３１］
上記通信信号リソースは、第１の通信信号リソース及び第２の通信信号リソースを含み、それに応じて、上記通信信号リソースの上記タイミング情報は、上記第１の通信信号リソースのタイミング情報及び上記第２の通信信号リソースのタイミング情報を含み、
上記送信モジュールは、具体的には、上記第１の通信信号リソース、上記第２の通信信号リソース、上記第１の通信信号リソースの上記タイミング情報、及び上記第２の通信信号リソースの上記タイミング情報を、上記第１のデバイスに送信し、これにより、上記第１のデバイスは、上記第２のデバイスによって送信された上記通信信号を受信すると共に、上記第１の通信信号リソースの上記タイミング情報に従って、上記第１の通信信号リソースにおいて、上記第１のデバイスの通信信号を送信し、かつ、第１のデバイスが、上記第２の通信信号リソースの上記タイミング情報に従って、上記第２の通信信号リソースにおいて、上記第２のデバイスによって送信された上記通信信号を受信するように構成される、項目２５から３０のいずれか１項に記載の基地局。
［項目３２］
上記Ｄ２Ｄ通信は、Ｄ２Ｄ発見及び／又はＤ２Ｄ直接通信を含む、項目２５から３１のいずれか１項に記載の基地局。
［項目３３］
プロセッサ及びメモリを備える第１のデバイスであって、上記メモリは、実行可能命令を格納し、上記第１のデバイスが動作すると、上記プロセッサは、上記メモリと通信を行い、上記プロセッサは、上記実行可能命令を実行することにより、項目１から８のいずれか１項に記載の方法を実行させる、第１のデバイス。
［項目３４］
プロセッサ及びメモリを備える基地局であって、上記メモリは、実行可能命令を格納し、上記基地局が動作すると、上記プロセッサは、上記メモリと通信を行い、上記プロセッサは、上記実行可能命令を実行することにより、項目９から１６のいずれか１項に記載の方法を実行させる基地局。
【図１】
0006319821.tif 000002
【図２】
0006319821.tif 000003
【図３】
0006319821.tif 000004
【図４】
0006319821.tif 000005
【図５】
0006319821.tif 000006
【図６】
0006319821.tif 000007
【図７】
0006319821.tif 000008